(57)【特許請求の範囲】
【請求項１】
アプリケーションによって生成された文書のファイルからページ記述言語による印刷データをコンピューターに生成させる印刷データ生成プログラムとともに使用されて、前記文書に重ねられて印刷されるウォーターマークを前記コンピューターに生成させるウォーターマーク生成プログラムであって、
前記印刷データが生成される前に前記文書のファイル上で前記ウォーターマークを前記文書に合成する前処理ステップと、前記印刷データに基づいて印刷する画像形成装置によって前記文書に合成される前記ウォーターマークの画像データを、前記印刷データが生成された後で前記印刷データに追加する後処理ステップとを前記コンピューターに実行させ、
前記後処理ステップは、前記前処理ステップによって前記ウォーターマークが前記文書に合成されなかった場合のみに、前記ウォーターマークの画像データを前記印刷データに追加することを特徴とするウォーターマーク生成プログラム。
【請求項２】
前記前処理ステップは、前記ウォーターマークを前記文書に合成した場合に、前記ウォーターマークを前記文書に合成したことを示す情報である合成済情報を前記コンピューターに記憶させ、
前記後処理ステップは、前記合成済情報が記憶されていない場合のみに、前記ウォーターマークの画像データを前記印刷データに追加することを特徴とする請求項１に記載のウォーターマーク生成プログラム。
【請求項３】
アプリケーションによって生成された文書のファイルからページ記述言語による印刷データを生成するとともに、前記文書に重ねられて印刷されるウォーターマークを生成するウォーターマーク生成装置であって、
前記印刷データを生成する前に前記文書のファイル上で前記ウォーターマークを前記文書に合成する前処理手段と、前記印刷データに基づいて印刷する画像形成装置によって前記文書に合成される前記ウォーターマークの画像データを、前記印刷データを生成した後で前記印刷データに追加する後処理手段とを備えており、
前記後処理手段は、前記前処理手段によって前記ウォーターマークが前記文書に合成されなかった場合のみに、前記ウォーターマークの画像データを前記印刷データに追加することを特徴とするウォーターマーク生成装置。
【発明の詳細な説明】
【技術分野】
【０００１】
本発明は、アプリケーションによって生成された文書に重ねられて印刷されるウォーターマーク（スタンプマーク）をコンピューターに生成させるウォーターマーク生成プログラムに関する。
【背景技術】
【０００２】
従来、ページ記述言語による印刷データに基づいて印刷する画像形成装置の外部デバイスであって、アプリケーションによって生成された文書のファイルからページ記述言語による印刷データを生成するとともに、アプリケーションによって生成された文書に重ねられて印刷されるウォーターマークを生成する外部デバイスが知られている（特許文献１参照。）。この外部デバイスは、画像形成装置によって文書に合成されるウォーターマークの画像データを、ページ記述言語による印刷データが生成された後で印刷データに追加する。
【先行技術文献】
【特許文献】
【０００３】
【特許文献１】特開２０１１−９８５００号公報
【発明の概要】
【発明が解決しようとする課題】
【０００４】
しかしながら、従来の外部デバイスにおいては、ウォーターマークを画像形成装置によって文書に合成させるので、ウォーターマークの画像データと、印刷データとの組み合わせが画像形成装置が適切に処理することができない組み合わせであった場合、画像形成装置にウォーターマークを適切に印刷させることができないという問題がある。
【０００５】
そこで、本発明は、画像形成装置によって従来より適切に印刷されるウォーターマークをコンピューターに生成させることができるウォーターマーク生成プログラムを提供することを目的とする。
【課題を解決するための手段】
【０００６】
本発明のウォーターマーク生成プログラムは、アプリケーションによって生成された文書のファイルからページ記述言語による印刷データをコンピューターに生成させる印刷データ生成プログラムとともに使用されて、前記文書に重ねられて印刷されるウォーターマークを前記コンピューターに生成させるウォーターマーク生成プログラムであって、前記印刷データが生成される前に前記文書のファイル上で前記ウォーターマークを前記文書に合成する前処理ステップと、前記印刷データに基づいて印刷する画像形成装置によって前記文書に合成される前記ウォーターマークの画像データを、前記印刷データが生成された後で前記印刷データに追加する後処理ステップとを前記コンピューターに実行させ、前記後処理ステップは、前記前処理ステップによって前記ウォーターマークが前記文書に合成されなかった場合のみに、前記ウォーターマークの画像データを前記印刷データに追加することを特徴とする。
【０００７】
この構成により、本発明のウォーターマーク生成プログラムを実行するコンピューターは、印刷データを生成する前に文書のファイル上でウォーターマークを文書に合成することができる場合には、コンピューター自身でウォーターマークを文書に合成するので、画像形成装置によって従来より適切に印刷されるウォーターマークを生成することができる。
【０００８】
また、本発明のウォーターマーク生成プログラムの前記前処理ステップは、前記ウォーターマークを前記文書に合成した場合に、前記ウォーターマークを前記文書に合成したことを示す情報である合成済情報を前記コンピューターに記憶させ、前記後処理ステップは、前記合成済情報が記憶されていない場合のみに、前記ウォーターマークの画像データを前記印刷データに追加しても良い。
【０００９】
この構成により、本発明のウォーターマーク生成プログラムを実行するコンピューターは、印刷データが生成される前に文書のファイル上でウォーターマークを文書に合成することと、印刷データが生成された後でウォーターマークの画像データを印刷データに追加することとの何れか一方のみの実行を、簡単な構成によって実現することができる。
【００１０】
本発明のウォーターマーク生成装置は、アプリケーションによって生成された文書のファイルからページ記述言語による印刷データを生成するとともに、前記文書に重ねられて印刷されるウォーターマークを生成するウォーターマーク生成装置であって、前記印刷データを生成する前に前記文書のファイル上で前記ウォーターマークを前記文書に合成する前処理手段と、前記印刷データに基づいて印刷する画像形成装置によって前記文書に合成される前記ウォーターマークの画像データを、前記印刷データを生成した後で前記印刷データに追加する後処理手段とを備えており、前記後処理手段は、前記前処理手段によって前記ウォーターマークが前記文書に合成されなかった場合のみに、前記ウォーターマークの画像データを前記印刷データに追加することを特徴とする。
【００１１】
この構成により、本発明のウォーターマーク生成装置は、印刷データを生成する前に文書のファイル上でウォーターマークを文書に合成することができる場合には、ウォーターマーク生成装置自身でウォーターマークを文書に合成するので、画像形成装置によって従来より適切に印刷されるウォーターマークを生成することができる。
【発明の効果】
【００１２】
本発明のウォーターマーク生成プログラムは、画像形成装置によって従来より適切に印刷されるウォーターマークをコンピューターに生成させることができる。
【図面の簡単な説明】
【００１３】
【図１】本発明の一実施の形態に係るネットワークシステムのブロック図である。
【図２】図１に示すＭａｃｉｎｔｏｓｈ（登録商標）のブロック図である。
【図３】図１に示すＭＦＰのブロック図である。
【図４】図２に示すプレフィルターの動作のフローチャートである。
【図５】図２に示すバックエンドフィルターの動作のフローチャートである。
【図６】図２に示すプレフィルターに文書のファイルが入力される場合のデータの流れを示す図である。
【図７】図２に示すプレフィルターに文書のファイルが入力されない場合のデータの流れを示す図である。
【発明を実施するための形態】
【００１４】
以下、本発明の一実施の形態について、図面を用いて説明する。
【００１５】
まず、本実施の形態に係るネットワークシステムの構成について説明する。
【００１６】
図１は、本実施の形態に係るネットワークシステム１０のブロック図である。
【００１７】
図１に示すように、ネットワークシステム１０は、Ｍａｃｉｎｔｏｓｈ（登録商標）２０と、画像形成装置であるＭＦＰ（Ｍｕｌｔｉｆｕｎｃｔｉｏｎ  Ｐｅｒｉｐｈｅｒａｌ）３０とを備えている。Ｍａｃｉｎｔｏｓｈ２０およびＭＦＰ３０は、ＬＡＮ(Ｌｏｃａｌ  Ａｒｅａ  Ｎｅｔｗｏｒｋ)またはインターネットなどのネットワーク１１を介して互いに通信可能に接続されている。
【００１８】
図２は、Ｍａｃｉｎｔｏｓｈ２０のブロック図である。
【００１９】
図２に示すように、Ｍａｃｉｎｔｏｓｈ２０は、Ｍａｃｉｎｔｏｓｈ２０全体を制御する制御部２１と、プログラムおよび各種のデータを記憶しているＨＤＤ（Ｈａｒｄ  Ｄｉｓｋ  Ｄｒｉｖｅ）などの記憶デバイスである記憶部２２と、利用者による種々の操作が入力されるマウスやキーボードなどの入力デバイスである操作部２３と、種々の情報を表示するＬＣＤ（Ｌｉｑｕｉｄ  Ｃｒｙｓｔａｌ  Ｄｉｓｐｌａｙ）などの表示デバイスである表示部２４と、ネットワーク１１経由で外部の装置と通信を行うネットワーク通信デバイスであるネットワーク通信部２５とを備えている。
【００２０】
制御部２１は、例えば、ＣＰＵ（Ｃｅｎｔｒａｌ  Ｐｒｏｃｅｓｓｉｎｇ  Ｕｎｉｔ）と、プログラムおよび各種のデータを予め記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭや記憶部２２に記憶されているプログラムを実行するようになっている。
【００２１】
記憶部２２は、ＯＳ(Ｏｐｅｒａｔｉｎｇ  Ｓｙｓｔｅｍ)２２ａと、ＭＦＰ３０によって印刷される文書のファイルを生成する複数のアプリケーション２２ｃと、アプリケーション２２ｃによって生成された文書に重ねられて印刷されるウォーターマークをＭａｃｉｎｔｏｓｈ２０に生成させるウォーターマーク生成プログラムとしてのプリンタードライバー２２ｄとを記憶している。ＯＳ２２ａは、アプリケーション２２ｃによって生成された文書のファイルからページ記述言語であるＰｏｓｔｓｃｒｉｐｔによる印刷データ（以下「Ｐｏｓｔｓｃｒｉｐｔデータ」という。）をＭａｃｉｎｔｏｓｈ２０に生成させる印刷データ生成プログラムとしてのＣＵＰＳ（Ｃｏｍｍｏｎ  Ｕｎｉｘ  Ｐｒｉｎｔｉｎｇ  Ｓｙｓｔｅｍ）２２ｂを含んでいる。プリンタードライバー２２ｄは、Ｐｏｓｔｓｃｒｉｐｔデータを生成する前に文書のファイル上でウォーターマークを文書に合成するプレフィルター（Ｐｒｅｆｉｌｔｅｒ）２２ｅと、ＭＦＰ３０によって文書に合成されるウォーターマークの画像データを、Ｐｏｓｔｓｃｒｉｐｔデータを生成した後でＰｏｓｔｓｃｒｉｐｔデータに追加するバックエンドフィルター（Ｂａｃｋ−ｅｎｄ  Ｆｉｌｔｅｒ）２２ｆとを含んでいる。
【００２２】
また、記憶部２２は、ウォーターマークを文書に合成したか否かを示す情報である前処理実行フラグ２２ｇを記憶している。前処理実行フラグ２２ｇは、オン状態の場合、ウォーターマークを文書に合成したことを示しており、オフ状態の場合、ウォーターマークを文書に合成していないことを示している。すなわち、オン状態の前処理実行フラグ２２ｇは、ウォーターマークを文書に合成したことを示す情報である合成済情報を構成している。
【００２３】
なお、アプリケーション２２ｃおよびプリンタードライバー２２ｄは、Ｍａｃｉｎｔｏｓｈ２０の製造段階でＭａｃｉｎｔｏｓｈ２０にインストールされていても良いし、ＣＤ(Ｃｏｍｐａｃｔ  Ｄｉｓｋ)、ＤＶＤ(Ｄｉｇｉｔａｌ  Ｖｅｒｓａｔｉｌｅ  Ｄｉｓｋ)などの記憶媒体から、または、ネットワーク１１上からＭａｃｉｎｔｏｓｈ２０に追加でインストールされても良い。
【００２４】
制御部２１は、記憶部２２に記憶されているプレフィルター２２ｅを実行することによって、Ｐｏｓｔｓｃｒｉｐｔデータを生成する前に文書のファイル上でウォーターマークを文書に合成する前処理手段として機能する。また、制御部２１は、記憶部２２に記憶されているバックエンドフィルター２２ｆを実行することによって、ＭＦＰ３０によって文書に合成されるウォーターマークの画像データを、Ｐｏｓｔｓｃｒｉｐｔデータを生成した後でＰｏｓｔｓｃｒｉｐｔデータに追加する後処理手段として機能する。以下においては、記憶部２２に記憶されているＯＳ２２ａ、ＣＵＰＳ２２ｂ、アプリケーション２２ｃ、プリンタードライバー２２ｄ、プレフィルター２２ｅ、バックエンドフィルター２２ｆを制御部２１が実行した場合の制御部２１の機能を、それぞれ単にＯＳ２２ａ、ＣＵＰＳ２２ｂ、アプリケーション２２ｃ、プリンタードライバー２２ｄ、プレフィルター２２ｅ、バックエンドフィルター２２ｆと記載して説明する。なお、プレフィルター２２ｅおよびバックエンドフィルター２２ｆは、ＣＵＰＳ２２ｂによって起動させられる。
【００２５】
図３は、ＭＦＰ３０のブロック図である。
【００２６】
図３に示すように、ＭＦＰ３０は、ＭＦＰ３０全体を制御する制御部３１と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）などの記憶デバイスである記憶部３２と、利用者による種々の操作が入力されるボタンなどの入力デバイスである操作部３３と、種々の情報を表示するＬＣＤなどの表示デバイスである表示部３４と、用紙に印刷を実行する印刷デバイスであるプリンター３５と、原稿から画像を読み取る読取デバイスであるスキャナー３６と、図示していない外部のファクシミリ装置と公衆電話回線などの通信回線経由でファックス通信を行うファックスデバイスであるファックス通信部３７と、ネットワーク１１経由で外部の装置と通信を行うネットワーク通信デバイスであるネットワーク通信部３８とを備えている。
【００２７】
制御部３１は、例えば、ＣＰＵと、プログラムおよび各種のデータを予め記憶しているＲＯＭと、ＣＰＵの作業領域として用いられるＲＡＭとを備えている。ＣＰＵは、ＲＯＭまたは記憶部３２に記憶されているプログラムを実行するようになっている。
【００２８】
次に、ネットワークシステム１０の動作について説明する。
【００２９】
まず、Ｍａｃｉｎｔｏｓｈ２０のプレフィルター２２ｅおよびバックエンドフィルター２２ｆの動作について説明する。
【００３０】
＜Ｍａｃｉｎｔｏｓｈ２０のプレフィルター２２ｅの動作＞
図４は、Ｍａｃｉｎｔｏｓｈ２０のプレフィルター２２ｅの動作のフローチャートである。
【００３１】
プレフィルター２２ｅは、アプリケーション２２ｃによって生成された文書のファイルであるＰＤＦ（Ｐｏｒｔａｂｌｅ  Ｄｏｃｕｍｅｎｔ  Ｆｏｒｍａｔ）ファイルが入力されると、図４に示す動作を実行する。
【００３２】
図４に示すように、プレフィルター２２ｅは、アプリケーション２２ｃの機能を使用して、入力されたＰＤＦファイル上で文書にウォーターマークを合成する（Ｓ１０１）。ここで、ウォーターマークの画像データは、例えば操作部２３を介して予め利用者によって指定された文字、図形などに基づいた画像データである。
【００３３】
次いで、プレフィルター２２ｅは、記憶部２２に記憶されている前処理実行フラグ２２ｇをオン状態にして（Ｓ１０２）、図４に示す動作を終了する。
【００３４】
＜Ｍａｃｉｎｔｏｓｈ２０のバックエンドフィルター２２ｆの動作＞
図５は、Ｍａｃｉｎｔｏｓｈ２０のバックエンドフィルター２２ｆの動作のフローチャートである。
【００３５】
バックエンドフィルター２２ｆは、Ｐｏｓｔｓｃｒｉｐｔデータが入力されると、図５に示す動作を実行する。
【００３６】
図５に示すように、バックエンドフィルター２２ｆは、記憶部２２に記憶されている前処理実行フラグ２２ｇがオン状態であるか否かを判断する（Ｓ１１１）。
【００３７】
バックエンドフィルター２２ｆは、前処理実行フラグ２２ｇがオン状態であるとＳ１１１において判断すると、前処理実行フラグ２２ｇをオフ状態にして（Ｓ１１２）、図５に示す動作を終了する。
【００３８】
一方、バックエンドフィルター２２ｆは、前処理実行フラグ２２ｇがオフ状態であるとＳ１１１において判断すると、ウォーターマークの画像データをＰｏｓｔｓｃｒｉｐｔデータに追加して（Ｓ１１３）、図５に示す動作を終了する。ここで、ウォーターマークの画像データは、例えば操作部２３を介して予め利用者によって指定された文字、図形などに基づいた画像データである。
【００３９】
次に、ネットワークシステム１０全体の動作について説明する。
【００４０】
＜プレフィルター２２ｅに文書のファイルが入力される場合の動作＞
プレフィルター２２ｅに文書のファイルが入力されるか否かは、その文書のファイルを生成したアプリケーション２２ｃの種類に応じて決まっている。例えば、アプリケーション２２ｃの種類がＭｉｃｒｏｓｏｆｔ  Ｏｆｆｉｃｅ（登録商標）系である場合、アプリケーション２２ｃによって生成された文書のファイルは、プレフィルター２２ｅに入力される。
【００４１】
図６は、プレフィルター２２ｅに文書のファイルが入力される場合のデータの流れを示す図である。
【００４２】
図６に示すように、プレフィルター２２ｅに文書のファイルが入力される場合、アプリケーション２２ｃによって生成された文書のファイルであるＰＤＦファイルは、プレフィルター２２ｅに入力される（Ｓ１２１）。
【００４３】
プレフィルター２２ｅは、ＰＤＦファイルが入力されると、図４に示す動作を実行する。すなわち、プレフィルター２２ｅは、入力されたＰＤＦファイル上で文書にウォーターマークを合成し（Ｓ１０１）、記憶部２２に記憶されている前処理実行フラグ２２ｇをオン状態にして（Ｓ１０２）、図４に示す動作を終了する。
【００４４】
次いで、プレフィルター２２ｅによって文書にウォーターマークが合成されたＰＤＦファイルは、ＣＵＰＳ２２ｂに入力される（Ｓ１２２）。
【００４５】
ＣＵＰＳ２２ｂは、ＰＤＦファイルが入力されると、入力されたＰＤＦファイルからＰｏｓｔｓｃｒｉｐｔデータを生成する。すなわち、ＣＵＰＳ２２ｂは、ウォーターマークが合成された文書のＰｏｓｔｓｃｒｉｐｔデータを生成する。
【００４６】
次いで、ＣＵＰＳ２２ｂによって生成されたＰｏｓｔｓｃｒｉｐｔデータは、バックエンドフィルター２２ｆに入力される（Ｓ１２３）。
【００４７】
バックエンドフィルター２２ｆは、Ｐｏｓｔｓｃｒｉｐｔデータが入力されると、図５に示す動作を実行する。すなわち、バックエンドフィルター２２ｆは、記憶部２２に記憶されている前処理実行フラグ２２ｇがオン状態であるので（Ｓ１１１でＹＥＳ）、前処理実行フラグ２２ｇをオフ状態にして（Ｓ１１２）、図５に示す動作を終了する。
【００４８】
次いで、Ｍａｃｉｎｔｏｓｈ２０の制御部２１は、バックエンドフィルター２２ｆによって加工されなかったＰｏｓｔｓｃｒｉｐｔデータをネットワーク通信部２５を介してネットワーク１１経由でＭＦＰ３０に送信する（Ｓ１２４）。
【００４９】
ＭＦＰ３０の制御部３１は、Ｍａｃｉｎｔｏｓｈ２０からＰｏｓｔｓｃｒｉｐｔデータをネットワーク通信部３８を介して受信すると、受信したＰｏｓｔｓｃｒｉｐｔデータに基づいて、ウォーターマークが重ねられた文書をプリンター３５によって印刷する。
【００５０】
＜プレフィルター２２ｅに文書のファイルが入力されない場合の動作＞
例えば、アプリケーション２２ｃの種類がＡｄｏｂｅ（登録商標）系である場合、アプリケーション２２ｃによって生成された文書のファイルは、プレフィルター２２ｅに入力されない。
【００５１】
図７は、プレフィルター２２ｅに文書のファイルが入力されない場合のデータの流れを示す図である。
【００５２】
図７に示すように、プレフィルター２２ｅに文書のファイルが入力されない場合、アプリケーション２２ｃによって生成された文書のファイルは、ＣＵＰＳ２２ｂに入力される（Ｓ１３１）。
【００５３】
ＣＵＰＳ２２ｂは、文書のファイルが入力されると、入力された文書のファイルからＰｏｓｔｓｃｒｉｐｔデータを生成する。
【００５４】
次いで、ＣＵＰＳ２２ｂによって生成されたＰｏｓｔｓｃｒｉｐｔデータは、バックエンドフィルター２２ｆに入力される（Ｓ１３２）。
【００５５】
バックエンドフィルター２２ｆは、Ｐｏｓｔｓｃｒｉｐｔデータが入力されると、図５に示す動作を実行する。すなわち、バックエンドフィルター２２ｆは、記憶部２２に記憶されている前処理実行フラグ２２ｇがオフ状態であるので（Ｓ１１１でＮＯ）、ウォーターマークの画像データをＰｏｓｔｓｃｒｉｐｔデータに追加して（Ｓ１１３）、図５に示す動作を終了する。
【００５６】
次いで、Ｍａｃｉｎｔｏｓｈ２０の制御部２１は、バックエンドフィルター２２ｆによってウォーターマークの画像データが追加されたＰｏｓｔｓｃｒｉｐｔデータをネットワーク通信部２５を介してネットワーク１１経由でＭＦＰ３０に送信する（Ｓ１３３）。
【００５７】
ＭＦＰ３０の制御部３１は、Ｍａｃｉｎｔｏｓｈ２０からＰｏｓｔｓｃｒｉｐｔデータをネットワーク通信部３８を介して受信すると、受信したＰｏｓｔｓｃｒｉｐｔデータと、このＰｏｓｔｓｃｒｉｐｔデータに追加されているウォーターマークの画像データとに基づいて、文書にウォーターマークを合成する。そして、ＭＦＰ３０の制御部３１は、ウォーターマークが重ねられた文書をプリンター３５によって印刷する。
【００５８】
以上に説明したように、Ｍａｃｉｎｔｏｓｈ２０は、Ｐｏｓｔｓｃｒｉｐｔデータを生成する前に文書のファイル上でウォーターマークを文書に合成することができる場合（図６参照。）には、Ｍａｃｉｎｔｏｓｈ２０自身でウォーターマークを文書に合成する（Ｓ１０１）ので、ＭＦＰ３０によって従来より適切に印刷されるウォーターマークを生成することができる。
【００５９】
また、Ｍａｃｉｎｔｏｓｈ２０は、Ｐｏｓｔｓｃｒｉｐｔデータが生成される前に文書のファイル上でウォーターマークを文書に合成することと、Ｐｏｓｔｓｃｒｉｐｔデータが生成された後でウォーターマークの画像データをＰｏｓｔｓｃｒｉｐｔデータに追加することとの何れか一方のみの実行を、前処理実行フラグ２２ｇという簡単な構成によって実現することができる。
【００６０】
なお、本発明のコンピューターは、本実施の形態においてＭａｃｉｎｔｏｓｈであるが、Ｍａｃｉｎｔｏｓｈ以外のコンピューターであっても良い。
【００６１】
また、本発明の画像形成装置は、本実施の形態においてＭＦＰであるが、プリンター専用機など、ＭＦＰ以外の画像形成装置であっても良い。
【符号の説明】
【００６２】
２０  Ｍａｃｉｎｔｏｓｈ（コンピューター、ウォーターマーク生成装置）
２２ｅ  プレフィルター（前処理手段）
２２ｆ  バックエンドフィルター（後処理手段）
２２ｂ  ＣＵＰＳ（印刷データ生成プログラム）
２２ｃ  アプリケーション
２２ｄ  プリンタードライバー（ウォーターマーク生成プログラム）
３０  ＭＦＰ（画像形成装置）
【図１】
0005503596.tif 000002
【図２】
0005503596.tif 000003
【図３】
0005503596.tif 000004
【図４】
0005503596.tif 000005
【図５】
0005503596.tif 000006
【図６】
0005503596.tif 000007
【図７】
0005503596.tif 000008